(57)【要約】【課題】  用紙の逆送時に開放して用紙のたわみ部を搬送経路外へ膨出させるフラップを設けた場合に於いても、装置の稼働停止によって用紙のたわみ部に異常な変形癖が形成されることを防止できる。【解決手段】  ロール紙から用紙を引き出して搬送する搬送機構１０と、用紙の先端から所定の範囲に印刷を行う印刷部２５と、印刷部の下流側に配置されたカッタ３０と、これらを制御する制御手段５０と、を備え、用紙を切断して発券した後に切断後の用紙先端を印刷部にまで後退させるための制御を行う印刷装置において、搬送経路を構成するガイド板の一部に設けた開放部１１ｂと、内側位置にあるときに開放部を閉止する一方で外側へ開放したときに用紙の一部を該開放部から搬送経路外へ弛み退避させるように回動自在に軸支されたフラップ１７と、オンしているときに該フラップを内側位置に閉止させるソレノイド１９と、ソレノイドがオフしているときに該フラップを開放させる弾性部材１８と、を備えた。【選択図】  図１
2005088305.tif 000002
【特許請求の範囲】
【請求項１】
ロール紙を回転自在に支持するためのロール紙支持手段と、前記ロール紙から用紙を引き出して搬送する搬送機構と、該搬送機構によってロール紙から引き出された用紙の先端から所定の範囲に印刷を行う印刷部と、印刷部による印刷後に用紙先端から所定長の位置を切断するために印刷部の下流側に配置されたカッタと、これらを制御する制御手段と、を備え、前記制御手段は、前記カッタにより用紙を切断して発券した後に前記搬送機構によって切断後の用紙先端を印刷部による印刷位置まで後退させるための制御を行う印刷装置において、
前記ロール紙から前記印刷部に到る搬送経路を構成するガイド板の一部に設けた開放部と、内側位置にあるときに該開放部を閉止する一方で外側へ開放したときに用紙の一部を該開放部から搬送経路外へ弛み退避させるように回動自在に軸支されたフラップと、オンしているときに該フラップを前記内側位置に閉止させるソレノイドと、該ソレノイドがオフしているときに該フラップを開放させる弾性部材と、を備えたことを特徴とする印刷装置。
【請求項２】
前記制御手段は、前記ロール紙から引き出された用紙先端が前記開放部を通過する際には前記ソレノイドをオンして前記フラップを閉止させる一方で、該用紙先端が該開放部を通過した後は前記ソレノイドをオフして前記弾性部材によってフラップを開放状態に保持することを特徴とする請求項１に記載の印刷装置。
【請求項３】
前記開放部上流側の搬送経路上にフラップ閉センサを備えると共に、開放部下流側の搬送経路上にフラップ開センサを備え、
前記フラップ閉センサは、前記ロール紙からの用紙先端が新たに通過したことを検知し、
前記フラップ開センサは、当該用紙先端が前記印刷部に進入したことを検知することを特徴とする請求項１又は２に記載の印刷装置。
【請求項４】
前記ロール紙を少なくとも２本以上常備しており、一方のロール紙の用紙費消時に、他方のロール紙からの用紙供給が可能な請求項１、２又は３に記載の印刷装置において、
前記搬送機構は、各ロール紙から引き出された用紙を夫々個別に搬送すると共に終端部にて合流する個別搬送経路と、各個別搬送経路の合流位置から延びて前記印刷部に達する共通搬送経路と、を備え、
前記共通搬送経路は、湾曲した湾曲搬送経路を備え、該湾曲搬送経路を構成する内外のガイド板のうちの外側ガイド板に前記開放部と前記フラップを配置したことを特徴とする請求項１、２又は３に記載の印刷装置。
【請求項５】
請求項１、２、３又は４の何れか一項に記載の印刷装置を備えたことを特徴とする自動券売機。
【発明の詳細な説明】
【技術分野】
【０００１】
本発明は印刷用紙としてロール紙を使用した印刷装置に関し、特にロール紙から引き出された用紙に印刷部にて印刷を行ってから下流側に位置するカッタにて所要長に切断して機外に排出してから、更に切断後の用紙先端を印刷位置まで戻すように制御する印刷装置の改良に関するものである。
【背景技術】
【０００２】
自動券売機に装備される印刷装置のように、ロール紙から引き出した用紙に対して印刷部において所要事項を印刷してから所要長に切断して発券するように構成された機器にあっては、印刷部の下流側に切断用のカッタが配置されている。印刷部にて印刷を受けた用紙先端からの所要長部分をカッタにて切断して機外に発券した際には、装置内に残った印刷されていない用紙先端はカッタにまで達しており、カッタよりも上流側に位置する印刷部は用紙先端よりも所定距離後方（上流方向）に位置しているため、このまま次の印刷を行って所要長送出した後にカッタにより切断して発券した場合には、発券された券の印刷領域の前部に不要な余白部分が広い範囲に亘って形成されることとなりレイアウト上見苦しいばかりか、券が不必要に大面積化するという問題を惹起する。
【０００３】
図３は従来の券売機の概略構成図であり、ロール紙Ｐを備えた給紙部１００と、給紙部１００を構成するロール紙Ｐから引き出された用紙Ｐ１を上方に位置する印刷部１１０に搬送するための搬送機構１０１と、用紙Ｐ１に印刷する印刷部１１０と、印刷部１１０によって印刷を受けてから下流側に進行した用紙先端部分を所定長で切断するカッタ１１１と、カッタ１１１によって切断された被切断部分Ｐ２を機外に排出（発券）する排紙部１１２と、を備えている。搬送機構１０１は、対向配置されたガイド板１０２ａから成る搬送経路１０２と、搬送経路１０２の適所に配置された搬送ローラ対１０３を備え、搬送ローラ対１０３を図示しないモータにより駆動することにより用紙を搬送する。
この券売機においては、印刷部１１０よりもカッタ１１２が下流側に位置しているため、用紙Ｐ１の先端からの所要長を切断して発券した後で、残留した用紙先端を印刷部１１０の適所まで戻す作業を実施する必要がある。
ここで、ロール紙Ｐを巻き取り方向に回転させて用紙Ｐ１を後方へ戻すことも考えられるが、そうした場合、ロール紙自体を動かす駆動力及び駆動機構が必要となるばかりでなく、短時間の作業動作で行うようにするためには、その制御部も高度となってしまう。そこで、搬送ローラ対１０３よりも下流側に位置する用紙Ｐ１を搬送機構１０１の一部を構成する印刷部１１０内に配置された搬送ローラ１２０によって所定距離逆送する。
【０００４】
搬送ローラ１２０によって用紙Ｐ１を逆送する場合、搬送ローラ対１０３、及びロール紙Ｐを逆回転させる訳ではなく搬送ローラ対１０３及びロール紙Ｐ自体は停止しているので、搬送経路１０２内において用紙Ｐ１の一部がたわみを起こす。搬送経路１０２を構成するガイド板１０２ａの間隔は、通常、必要最小限の間隔に設定されているが、搬送経路内でたわみを起こした用紙部分を受け入れるためのスペースを搬送経路の適所に確保する必要がある。このようなところから、従来は、図示のように搬送経路１０２中の湾曲部１０４を構成する外側ガイド板１０２ａの一部を開口した開放部１０５とすると共に、開放部１０５の一端縁に設けた軸１０６ａによってフラップ１０６を開閉自在に支持している。フラップ１０６は、搬送する用紙に撓みが形成されない前進方向への搬送時には、自重或いは図示しないバネによって開放部１０５を閉止する位置に保持されている一方で、搬送機構を構成する印刷部１１０内の搬送ローラ１２０の逆転による逆送時には逆送された用紙が湾曲部１０４において外側へたわみを起こすため、このたわみ部Ｐ３の腰（紙の剛性）によってフラップ１０６が押し開けられて開放部１０５を開放する。このため、撓み部Ｐ３は開放部１０５から搬送経路外へ退避することができる。
しかし、フラップ１０６は、通常搬送時には、たるみが形成されていない用紙部分を安定してガイドするために、所定以上の力で閉止状態を維持できるように構成する必要がある一方で、たるみが形成されようとする場合にはたるみ部分の力に押圧されて開放する必要があるため、その自重、或いはバネによる押圧力を適正に設定する必要がある。しかし、用紙の紙厚、腰の強弱が一様でないため、自重、或いはバネによる押圧力をあらゆる紙種に合わせて適正値に設定すること自体が容易でない。また、用紙の弛み部分がフラップを押圧して開放させた状態で装置の停止状態が継続した場合、当該たるみ部分がフラップからの圧力によって潰れて変形するという不具合がある。変形した部分は印字に際しても支障を来すし、用紙ジャムの原因ともなる。
【０００５】
次に、特開平９−８５６８２号公報には、ロール紙から引き出された用紙を、軸方向に傾斜したスパイラル刃を有する回転式切断装置により切断するように構成したプリンタにおいて、剛性を有した用紙に印刷、カットを施してから排出する場合に、用紙にたるみが形成されにくいことに起因して用紙が斜めに切断される不具合を解消することを目的とした技術が開示されている。この従来技術では、カッタの直前位置に用紙のたるみによって退避する案内手段を配置することによって、上記不具合を解消している。しかし、この種の案内手段は、たるみが形成されていない用紙部分をガイドする際には正常な搬送を実現させるべく、所定以上の力で用紙を押圧しておく必要がある一方で、切断時にたるみが形成されようとする場合にはたるみ部分の力に押圧されて退避する必要があるため、その自重、或いはバネによる押圧力を適正に設定することが容易でない。また、用紙がたるんで案内手段を押し出した状態で装置が停止した状態が継続した場合、当該たるみ部分に案内手段からの圧力によって癖（変形）が形成されるという不具合がある。
【特許文献１】特開平９−８５６８２号公報
【発明の開示】
【発明が解決しようとする課題】
【０００６】
本発明は上記に鑑みてなされたものであり、印刷用紙としてロール紙を使用した印刷装置において、ロール紙から引き出された用紙に印刷部にて印刷を行ってから下流側に位置するカッタにて所要長に切断し、更に切断後の用紙先端を印刷位置まで戻すように制御する際に、用紙の逆送時に形成される用紙のたわみ部分を搬送経路外に膨出させるために開放されるフラップを設けた場合に於いても、装置の稼働停止によって用紙のたわみ部に異常な変形癖が形成されることを防止できる印刷装置を提供することを目的とする。
【課題を解決するための手段】
【０００７】
上記課題を解決するため、請求項１の発明は、ロール紙に回転自在に支持するためのロール紙支持手段と、前記ロール紙から用紙を引き出して搬送する搬送機構と、該搬送機構によってロール紙から引き出された用紙の先端から所定の範囲に印刷を行う印刷部と、印刷部による印刷後に用紙先端から所定長の位置を切断するために印刷部の下流側に配置されたカッタと、これらを制御する制御手段と、を備え、前記制御手段は、前記カッタにより用紙を切断して発券した後に前記搬送機構によって切断後の用紙先端を印刷部による印刷位置まで後退させるための制御を行う印刷装置において、前記ロール紙から前記印刷部に到る搬送経路を構成するガイド板の一部に設けた開放部と、内側位置にあるときに該開放部を閉止する一方で外側へ開放したときに用紙の一部を該開放部から搬送経路外へ弛み退避させるように回動自在に軸支されたフラップと、オンしているときに該フラップを前記内側位置に閉止させるソレノイドと、該ソレノイドがオフしているときに該フラップを開放させる弾性部材と、を備えたことを特徴とする。
これによれば、フラップによる開放部の閉止動作をソレノイドの通電によって行う一方で、フラップの開放動作、及び開放状態の維持はソレノイドのオフ時に作動する弾性部材によって行うようにした。このため、開放部から湾曲して搬送経路外へ膨出した用紙の一部をフラップによって加圧変形することがなくなる。
請求項２の発明は、前記制御手段は、前記ロール紙から引き出された用紙先端が前記開放部を通過する際には前記ソレノイドをオンして前記フラップを閉止させる一方で、該用紙先端が該開放部を通過した後は前記ソレノイドをオフして前記弾性部材によってフラップを開放状態に保持することを特徴とする。
フラップによって開放部を閉止するのは、最初に用紙先端を搬送経路内に導入する時だけであるため、ソレノイドを通電して作動させる時間は極めて短い時間に限られることとなり、ソレノイドの耐久性を高めることができる。
【０００８】
請求項３の発明は、請求項１又は２において、前記開放部上流側の搬送経路上にフラップ閉センサを備えると共に、開放部下流側の搬送経路上にフラップ開センサを備え、前記フラップ閉センサは、前記ロール紙からの用紙先端が新たに通過したことを検知し、前記フラップ開センサは、当該用紙先端が前記印刷部に進入したことを検知することを特徴とする。
ロール紙から引き出された用紙先端が搬送経路の始端部に進入してから、開放部を通過して印刷部に達したことを各センサが検知することにより、用紙の初期セット作業を自動化することができる。
請求項４の発明は、請求項１、２、又は３において、前記ロール紙を少なくとも２本以上常備しており、一方のロール紙の用紙費消時に、他方のロール紙からの用紙供給が可能な請求項１、２又は３に記載の印刷装置において、前記搬送機構は、各ロール紙から引き出された用紙を夫々個別に搬送すると共に終端部にて合流する個別搬送経路と、各個別搬送経路の合流位置から延びて前記印刷部に達する共通搬送経路と、を備え、前記共通搬送経路は、湾曲した湾曲搬送経路を備え、該湾曲搬送経路を構成する内外のガイド板のうちの外側ガイド板に前記開放部と前記フラップを配置したことを特徴とする。
ロール紙が費消されることによる稼働停止を防ぐ為に予備のロール紙を装備した場合にも同様に、ロール紙が一歩のタイプの場合と同様にフラップの開閉が行われるので、用紙の逆送時に発生するたわみを搬送経路外に退避させることができる。
請求項５の発明は、請求項１、２、３又は４の何れか一項に記載の印刷装置を備えた自動券売機であることを特徴とする。
本発明の印刷装置は、自動券売機に適用することができる。
【発明の効果】
【０００９】
本発明によれば、印刷用紙としてロール紙を使用した印刷装置において、ロール紙から引き出された用紙に印刷部にて印刷を行ってから下流側に位置するカッタにて所要長に切断し、更に切断後の用紙先端を印刷位置まで戻すように制御すると共に、用紙のたわみ部を搬送経路外へ退避させるための開放部をフラップによって開閉する際に、閉止動作はソレノイドへの通電により実施し、開放動作はソレノイドへの通電遮断による弾性部材の作動によって行うようにした。このため、用紙の逆送時に形成される用紙のたわみ部分を搬送経路外へ退避させるように構成した場合に於いても、装置の稼働停止によって用紙のたわみ部に異常な変形癖が形成されることを防止できる。
【発明を実施するための最良の形態】
【００１０】
以下、本発明を図面に示した実施の形態により詳細に説明する。
図１（ａ）及び（ｂ）は本発明の一実施形態に係る印刷装置の概略構成図、及びその要部構成図である。この印刷装置２は例えば券売機等１に適用され、利用者が券売機前面のメニュースイッチを操作して所定金額、所定内容の取引を選択したときに、選択された取引内容に見合う金額、項目を用紙面に印刷してから、当該用紙を所要寸法に切断して機外に発券するように構成されている。
本発明の特徴的な構成は、ロール紙から引き出された用紙に印刷、切断処理を施す過程で実施される用紙の逆送に伴って発生する用紙のたわみ処理を行う印刷用紙搬送装置の構成に存する。
図１に示す券売機１は、印刷装置２を内蔵している。この印刷装置２は、ロール紙Ｐを回転自在に支持した給紙部５と、ロール紙Ｐから用紙Ｐ１を引き出して上向きに搬送する搬送機構１０と、搬送機構１０によってロール紙Ｐから引き出された用紙Ｐ１の先端から所定の範囲に印刷を行う印刷部２５と、印刷部２５による印刷後に用紙先端から所定長の位置を切断するために印刷部２５の下流側に配置されたカッタ３０と、これらを制御する制御手段５０と、を備えている。
給紙部５では、支持軸６によってロール紙Ｐの中心部を回転自在に支持している。
ロール紙Ｐは、感熱紙でもよいし、普通紙でもよい。感熱紙の場合には、印刷部２５ではサーマルヘッドからなる印字手段を用い、普通紙の場合にはインクジェットヘッド等の普通使用の印字手段を用いる。
搬送機構１０は、下方に位置するロール紙Ｐから引き出された用紙Ｐ１を受入れて上方へ導くための搬送経路１１と、搬送経路１１に沿って配置された搬送ローラ対１５と、搬送ローラ対１５を駆動するモータＭと、フラップ閉センサ３５と、フラップ開センサ３６と、搬送経路１１の一部（この例では湾曲搬送部１１ａ）に設けた開放部１１ｂを開閉するためのフラップ１７と、フラップ１７を常時開放方向へ付勢する弾性部材（引張りバネ）１８と、フラップ１７を閉止方向へ付勢するソレノイド１９と、を備えている。
更に、搬送機構１０の構成を図１（ｂ）により詳述すると、搬送経路１１は、搬送用の空所を介して対向配置された内側ガイド板１２ａ、外側ガイド板１２ｂとから成り、湾曲搬送部１１ａでは外側ガイド板１２ｂの一部を除去することによって開放部１１ｂを形成し、この開放部１１ｂを開閉するように開放部１１ｂの一端縁に設けた軸部によってフラップ１７を開閉自在に支持している。フラップ１７は弾性部材１８によって開放方向へ常時付勢される一方で、制御手段５０によって制御されるソレノイド１９のプランジャ１９ａをフラップ１７の適所に取り付けている。ソレノイド１９に通電して励磁させてプランジャ１９ａを吸引することにより弾性部材１８に抗して引っ張り、フラップ１７を閉止させることができる。逆にソレノイド１９への通電をオフすることにより、弾性部材１８をフリーにしてフラップ１７を開放させることができる。
【００１１】
搬送ローラ１５は、制御手段５０によって制御されるモータＭにより正転方向へ駆動される際に用紙を印刷部２５に向けて前進させる。後述するように用紙先端部がカッタ３０から印刷部２５へ逆送される場合には、搬送ローラ１５は駆動されることなく停止し続ける。このため、搬送ローラ１５よりも上流側に用紙が戻ることはない。
搬送経路１１の最上流側に位置する搬送ローラ１５以外にも、湾曲搬送部１１ａの下流側にも適所に給紙ローラ２０を必要数設ける。給送ローラ２０は、例えば図示のように印刷部内に配置する。なお、給紙ローラ２０も、搬送機構１０を構成している。
印刷部２５は印字ヘッド２６を備え、制御手段５０からの制御信号（発券信号）に基づいて指示された内容を用紙Ｐ１上に印字する。印字箇所は、用紙Ｐ１の先端部から所定の範囲内である。
カッタ３０は、切断刃３１を備えており、切断刃３１は制御手段５０からの制御によって用紙Ｐ１の先端縁から所定長後方位置を切断する。切断分離された用紙は印刷済みの券として機外に発券される。
なお、開放部１１ｂ手前の搬送経路上、具体的には搬送ローラ対１５の直下流側にフラップ閉センサ３５を設ける。また、開放部１１ｂの下流側の搬送経路上、具体的には印刷部２５とカッタ３０との間の搬送経路上にフラップ開センサ３６を設ける。
フラップ閉センサ３５は、ロール紙Ｐから供給されてきた用紙先端が新たに通過したことを検知し、フラップ開センサ３６は、用紙先端が印刷部２５に進入して印刷に適した位置に達したことを検知する。これらのセンサ類は、例えばフォトセンサである。
【００１２】
本実施形態では、制御手段５０が、ロール紙Ｐから引き出された用紙先端が開放部１１ｂを通過する際には、用紙先端が開放部１１ｂから外部へ出ることを防止するためにソレノイド１９をオンしてフラップ１７を閉止させる一方で、用紙先端が開放部１１ｂを通過した後はソレノイド１９をオフして弾性部材１８によってフラップ１７を開放状態に保持するようにしている。
即ち、新たなロール紙Ｐを給紙部５の支持軸６にセットして用紙Ｐ１を引き出した際には、用紙先端を手作業により搬送経路１１内に挿入する。搬送経路１１の入口にあるセンサ３７による先端検知によって制御手段５０はモータＭを作動させて搬送ローラ１５を駆動させる。更に、搬送ローラ１５のニップ部まで手作業によって用紙を送ると、後は自動的に搬送ローラ１５が紙を引き込んで行く。
【００１３】
搬送ローラ１５により進出方向に送り出された用紙先端部が、搬送ローラ１５の先にあるフラップ閉センサ３５により検出されると、制御手段５０はソレノイド１９に通電してフラップ１７を閉制御する。これによりフラップ１７が閉じられた状態となり、印刷部２５へ用紙Ｐ１が送り込まれる。印刷部２５への用紙の送り込みは、フラップ開センサ３６により用紙の先端部が検出されるまで続けられ、用紙先端が検出された時点で搬送を停止すると共に、ソレノイド１９への通電をオフしてフラップを開放制御する。
フラップ開センサ３６が用紙先端を検知した時点で、搬送ローラ１５への駆動力伝達が遮断される一方で、下流側の給紙ローラ２０が駆動開始される。搬送ローラ１５は、駆動が停止した場合にも、そのニップ部を用紙が進出方向へ移動できるように連れ回りする。
続いて、給紙ローラ２０によってロール紙の用紙先端がカッタ３０の切断刃３１まで送られ、先端をカットした後にその先端が印刷部２５に戻るように給紙ローラ２０が逆送し、次の印刷に際しての最適の印刷位置に達した時点で逆送を停止させる。この際、開放部１１ｂはフラップ１７によって開放された状態にあるため、逆送によって用紙に形成されるたわみ部は開放部から搬送経路外へ膨出することができ、しかもフラップによって加圧されて変形することがない。
この状態で、発券命令があると、印字部により用紙面に印刷が行われる。
印刷が完了すると、給紙ローラ２０は所定の１チケット分の長さを進出方向に搬送し、カッタ３０の切断刃３１にて切断する。切断された紙片はチケットとして取り出し口へ送り出される。このように発券されたチケット面には、過大な余白が形成されることがない。
一方、切断された新たな用紙先端部は、カッタの位置から進出方向とは逆の戻り方向に送られ、一定量だけロール紙先端部を戻した位置（印刷開始位置）で停止する。この際、湾曲搬送部１１ａにおいては用紙の一部が開放部から外部に膨出することができる。
【００１４】
この制御方法によれば、フラップ１７が開放部１１ｂを閉止するのは、新たにセットしたロール紙Ｐからの引き出し用紙を搬送経路１１の入口に差し入れてから印刷部まで搬送する初期セット時のみであり、それ以降の稼働中は常時フラップは開放状態にある。従って、ソレノイド１９に通電するのは僅かの時間だけであり、消費電力を押え、ソレノイドの耐久性を高めることができる。
また、用紙先端が下流側の給紙ローラ２０のニップ部に進入した後は、フラップ１７によって開放部１１ｂを開放したままであっても、給紙ローラ２０による搬送力によって用紙先端を的確に印刷位置、カット位置に搬送できるため、問題はない。
以上の構成に於いて、制御手段５０が切断後の用紙先端を印刷位置まで後退させる為に給紙ローラ２０を逆転駆動した場合、狭い搬送経路１１内において用紙Ｐ１がたわみを起こすが、フラップ１７は新たにセットされたロール紙Ｐの用紙先端を搬送経路内に引き入れる当初の操作時を除けば、常時開放状態に保持されているので、湾曲搬送部１１ａに設けた開放部１１ｂが開放状態となる。従って、用紙Ｐ１は開放部１１ｂから搬送経路外へたわみ変形することが可能となる。仮に、この状態で装置が停止し、その状態が長時間継続したとしても、フラップ１７は弾性部材１８によって開放した状態を維持し続けるので、たわんだ部分がフラップによって加圧変形させられる虞は皆無となる。
【００１５】
次に、図２は本発明の他の実施形態に係る印刷装置の概略構成図であり、この印刷装置はロール紙を２本装備しており、それに応じて搬送機構４０の構成を異ならせている。
ロール紙は、上側の第１のロール紙Ｐ’と、下側の第２のロール紙Ｐ”とからなり、夫々中心部を支持軸６によって回転自在に軸支されている。各ロール紙から引き出された用紙Ｐ１’、Ｐ１”は搬送経路４１に達しているが、両ロール紙から引き出した用紙を交互に使用する訳ではなく、いずれか一方のロール紙からの用紙を優先して使用し、このロール紙を費消し終わった際に、他方のロール紙から用紙を搬送開始して印刷に供する。
搬送機構４０は、各ロール紙Ｐ’、Ｐ”から引き出された用紙Ｐ１’、Ｐ１”を夫々個別に搬送するとともに各終端部にて合流した個別搬送経路４２、４３と、各個別搬送経路４２、４３の合流位置から印刷部２５、カッタ３０、発券部まで達する共通搬送経路４４と、を備えている。
【００１６】
共通搬送経路４４は、湾曲した湾曲搬送経路４４ａを備え、湾曲搬送経路４４ａを構成する内外のガイド板のうちの外側ガイド板に開放部４５と、開放部４５を開閉するフラップ１７と、弾性部材１８と、ソレノイド１９と、を配置した。フラップ１７は実線で示した閉止位置にあるときには何れかの個別搬送経路４２、４３から搬送されてくる用紙Ｐ１’、Ｐ１”を共通搬送経路４４にスムーズに導いて印刷部２５へ送込むことができる。一方、フラップ１７を開放して開放部４５を開放した場合には、図示のように逆送される用紙の一部を開放部から搬送経路外へ湾曲させて突出させることができる。
制御手段５０が、フラップ１７を閉止したり、開放するタイミングは、上記第１の実施形態の場合と同様である。各センサ３５、３６からの検知信号に基づく搬送機構４０、印刷部２５、カッタ３０等の動作も上記実施形態と同様である。
なお、本発明の印刷装置は、自動券売機のみならず、ロール紙から用紙に印刷した上で切断して発行する装置一般に適用することができる。
【図面の簡単な説明】
【００１７】
【図１】（ａ）及び（ｂ）は本発明の一実施形態に係る印刷装置の概略構成図、及びその要部構成図。
【図２】本発明の他の実施形態に係る印刷装置の概略構成図。
【図３】従来例の説明図。
【符号の説明】
【００１８】
１  券売機、２  印刷装置、５  給紙部、６  支持軸、Ｐ  ロール紙、Ｐ１  用紙、１０  搬送機構、１１  搬送経路、１１ａ  湾曲搬送経路、１１ｂ  開放部、１２ａ  内側ガイド板、１２ｂ  外側ガイド板、１５  搬送ローラ対、Ｍ  モータ、１７  フラップ、１８  弾性部材（引張りバネ）、１９  ソレノイド、１９ａ  プランジャ、２０  給送ローラ、２５  印刷部、２６  印字ヘッド、３０  カッタ、３１  切断刃、３５  フラップ閉センサ、３６  フラップ閉センサ、４０  搬送機構、４２、４３  個別搬送経路、４４  共通搬送経路、４４ａ  湾曲搬送経路、４５  開放部、５０  制御手段。
【図１】
2005088305.tif 000003
【図２】
2005088305.tif 000004
【図３】
2005088305.tif 000005